(57)【特許請求の範囲】
【請求項１】
カラオケ装置にて再生されたカラオケ用の楽曲データに基づいて当該楽曲データに関するコンテンツデータまたは第３者に閲覧させるための閲覧データの少なくとも何れか一方を携帯用通信端末装置に配信するデータ配信方法であって、
前記カラオケ装置にて再生された複数の楽曲データを選曲する際にそれぞれ用いられた複数の楽曲識別データを携帯用通信端末装置に取得させる取得工程と、
前記携帯用通信端末装置から、（i）前記複数の楽曲データのうち少なくとも何れかの楽曲データに関するコンテンツデータまたは（ii）当該複数の楽曲データのうち少なくとも何れかの楽曲データに関して第３者に閲覧させるための閲覧データ、の少なくとも何れか一方を提供するサーバ装置に前記取得した複数の楽曲識別データを送信する送信工程と、
前記サーバ装置にて、前記取得された複数の楽曲識別データに基づいて、前記カラオケ装置にて再生された複数の楽曲データのうち、多く再生された楽曲データに対応する種別を相対的な情報として特定し、更に、当該相対的な情報に基づいて、前記携帯用通信端末装置に配信すべき前記コンテンツデータまたは閲覧データの少なくとも何れか一方を配信データとして特定する特定工程と、
前記特定された配信データを前記サーバ装置から前記携帯用通信端末装置に配信する配信工程と、
を含むことを特徴とするデータ配信方法。
【請求項２】
請求項１に記載のデータ配信方法であって、
前記特定工程では、前記サーバ装置にて、前記取得された複数の楽曲識別データに基づいて、前記カラオケ装置にて再生された複数の楽曲データのうち、多く再生された楽曲データに対応するアーティストの種別又はジャンルの種別を前記相対的な情報として特定することを特徴とするデータ配信方法。
【請求項３】
請求項１又は請求項２に記載のデータ配信方法であって、
前記コンテンツデータが、音データまたは画像データの少なくとも何れか一方であることを特徴とするデータ配信方法。
【請求項４】
カラオケ装置にてカラオケ用の複数の楽曲データを選曲する際にそれぞれ用いられた複数の楽曲識別データを取得する取得手段と、
（i）前記複数の楽曲データのうち少なくとも何れかの楽曲データに関するコンテンツデータまたは（ii）当該複数の楽曲データのうち少なくとも何れかの楽曲データに関して第３者に閲覧させるための閲覧データ、の少なくとも何れか一方を提供するサーバ装置に前記取得した複数の楽曲識別データを送信する送信手段と、
前記サーバ装置が、前記複数の楽曲識別データに基づいて、前記カラオケ装置にて再生された複数の楽曲データのうち、多く再生された楽曲データに対応する種別を相対的な情報として特定し、更に、当該相対的な情報に基づいて特定した前記コンテンツデータまたは閲覧データの少なくとも何れか一方を、配信データとして当該サーバ装置から受信する受信手段と、
を備えることを特徴とする携帯用通信端末装置。
【請求項５】
コンピュータを、
カラオケ装置にてカラオケ用の複数の楽曲データを選曲する際にそれぞれ用いられた複数の楽曲識別データを取得する取得手段、
（i）前記複数の楽曲データのうち少なくとも何れかの楽曲データに関するコンテンツデータまたは（ii）当該複数の楽曲データのうち少なくとも何れかの楽曲データに関して第３者に閲覧させるための閲覧データ、の少なくとも何れか一方を提供するサーバ装置に前記取得した複数の楽曲識別データを送信する送信手段、
前記サーバ装置が、前記複数の楽曲識別データに基づいて、前記カラオケ装置にて再生された複数の楽曲データのうち、多く再生された楽曲データに対応する種別を相対的な情報として特定し、更に、当該相対的な情報に基づいて特定した前記コンテンツデータまたは閲覧データの少なくとも何れか一方を、配信データとして当該サーバ装置から受信する受信手段、
として機能させることを特徴とするデータ取得プログラム。
【請求項６】
携帯用通信端末装置から送信された、カラオケ装置にてカラオケ用の複数の楽曲データを選曲する際にそれぞれ用いられた複数の楽曲識別データを収得する収得手段と、
前記収得された複数の楽曲識別データに基づいて、前記カラオケ装置にて再生された複数の楽曲データのうち、多く再生された楽曲データに対応する種別を相対的な情報として特定し、更に、当該相対的な情報に基づいてコンテンツデータまたは閲覧データの少なくとも何れか一方を配信データとして特定する特定手段と、
前記特定された配信データを前記携帯用通信端末装置に配信する配信手段と、
を備えることを特徴とするサーバ装置。
【発明の詳細な説明】
【技術分野】
【０００１】
本発明は、携帯用電話機などのコンテンツデータの取得可能な携帯用通信端末装置の技術分野に属し、特に、コンテンツデータを取得する際にカラオケ用の楽曲データを用いる技術に関する。
【背景技術】
【０００２】
近年、インターネットなどのコンピュータ・ネットワークの発達とともに、携帯電話装置などの携帯用通信端末装置の普及、および、技術的な進歩などにより、当該携帯用通信端末装置によって、他の通信装置との通信時の着信音または視聴するための楽曲のデータ、画像データ、および、ＷＷＷ（World Wide Web）サーバ装置などの他の通信装置によって提供されるホームページなどのドキュメントデータの取得、および、閲覧を行うことが一般化してきている。
【０００３】
また、最近では、携帯電話機などの携帯用通信端末装置は、その利便性によって種々のリモコン装置としても用いられるようになっており、特に、最近では、店舗用のカラオケ装置におけるリモコン装置に用いられるものが知られている（例えば、特許文献１）。
【特許文献１】特開平１０−２７１２２９号公報
【発明の開示】
【発明が解決しようとする課題】
【０００４】
しかしながら、上述のような携帯用通信端末装置であっては、カラオケ装置の一部として用いることができるとしても、当該カラオケ装置にて用いた楽曲と連動させることができず、カラオケ装置における携帯用通信端末装置の活用においてその発展性に欠ける。
【０００５】
本発明は、上記の課題の一例を解決するものとして、カラオケにて興趣した楽曲に連動させてコンテンツデータ等を取得させることによって、ユーザの嗜好に関してカラオケの娯楽を活用するとともに、その娯楽性を更に発展させることができる携帯用通信端末装置等を提供することにある。
【課題を解決するための手段】
【０００６】
上記の課題を解決するために、請求項１に記載の発明は、カラオケ装置にて再生されたカラオケ用の楽曲データに基づいて当該楽曲データに関するコンテンツデータまたは第３者に閲覧させるための閲覧データの少なくとも何れか一方を携帯用通信端末装置に配信するデータ配信方法であって、前記カラオケ装置にて再生された複数の楽曲データを選曲する際にそれぞれ用いられた複数の楽曲識別データを携帯用通信端末装置に取得させる取得工程と、前記携帯用通信端末装置から、（i）前記複数の楽曲データのうち少なくとも何れかの楽曲データに関するコンテンツデータまたは（ii）当該複数の楽曲データのうち少なくとも何れかの楽曲データに関して第３者に閲覧させるための閲覧データ、の少なくとも何れか一方を提供するサーバ装置に前記取得した複数の楽曲識別データを送信する送信工程と、前記サーバ装置にて、前記取得された複数の楽曲識別データに基づいて、前記カラオケ装置にて再生された複数の楽曲データのうち、多く再生された楽曲データに対応する種別を相対的な情報として特定し、更に、当該相対的な情報に基づいて、前記携帯用通信端末装置に配信すべき前記コンテンツデータまたは閲覧データの少なくとも何れか一方を配信データとして特定する特定工程と、前記特定された配信データを前記サーバ装置から前記携帯用通信端末装置に配信する配信工程と、を含むことを特徴とする。
この構成により、カラオケ装置にて選曲する際に用いた複数の楽曲データにそれぞれ関する複数の楽曲識別データに基づいて、カラオケ装置にて再生された複数の楽曲データのうち、多く再生された楽曲データに対応する種別が相対的な情報として特定され、更に、当該相対的な情報に基づいて、携帯用通信端末装置に配信すべきコンテンツデータまたは閲覧データの少なくとも何れか一方が配信データとして特定され、特定された配信データがサーバ装置から携帯用通信端末装置に配信される。
【０００７】
したがって、請求項１に記載の発明によれば、カラオケにて興趣した楽曲に連動させてコンテンツデータまたは閲覧データを取得させることができる。特に、複数の楽曲識別データに基づいて、カラオケ装置にて再生された複数の楽曲データのうち、多く再生された楽曲データに対応する種別を相対的な情報として特定し、当該相対的な情報に基づいて配信データを特定することから、ユーザの嗜好にあったデータを取得させることができる。よって、コンテンツデータを携帯用通信端末装置に配信する際に、ユーザの嗜好に関してカラオケという娯楽を活用するとともに、カラオケの娯楽性を更に発展させることができる。
【０００８】
また、請求項２に記載の発明は、請求項１に記載のデータ配信方法であって、前記特定工程では、前記サーバ装置にて、前記取得された複数の楽曲識別データに基づいて、前記カラオケ装置にて再生された複数の楽曲データのうち、多く再生された楽曲データに対応するアーティストの種別又はジャンルの種別を前記相対的な情報として特定することを特徴とする。
【０００９】
この構成により、カラオケ装置にて再生された複数の楽曲データのうち、多く再生された楽曲データに対応するアーティストの種別又はジャンルの種別に応じた配信データが携帯用通信端末装置に配信される。
【００１０】
したがって、請求項２に記載の発明によれば、ユーザの嗜好にあったアーティストやジャンルに応じた配信データを配信することができる。
【００１１】
また、請求項３に記載の発明は、請求項１又は請求項２に記載のデータ配信方法であって、前記コンテンツデータが、音データまたは画像データの少なくとも何れか一方であることを特徴とする。
【００１２】
この構成により、コンテンツデータとして、音データまたは画像データの少なくとも何れか一方を配信することができる。
【００１３】
また、請求項４に記載の発明は、カラオケ装置にてカラオケ用の複数の楽曲データを選曲する際にそれぞれ用いられた複数の楽曲識別データを取得する取得手段と、（i）前記複数の楽曲データのうち少なくとも何れかの楽曲データに関するコンテンツデータまたは（ii）当該複数の楽曲データのうち少なくとも何れかの楽曲データに関して第３者に閲覧させるための閲覧データ、の少なくとも何れか一方を提供するサーバ装置に前記取得した複数の楽曲識別データを送信する送信手段と、前記サーバ装置が、前記複数の楽曲識別データに基づいて、前記カラオケ装置にて再生された複数の楽曲データのうち、多く再生された楽曲データに対応する種別を相対的な情報として特定し、更に、当該相対的な情報に基づいて特定した前記コンテンツデータまたは閲覧データの少なくとも何れか一方を、配信データとして当該サーバ装置から受信する受信手段と、を備えることを特徴とする携帯用通信端末装置である。
【００１４】
この構成により、サーバ装置が、カラオケ装置にて選曲する際に用いた複数の楽曲データにそれぞれ関する複数の楽曲識別データに基づいて、カラオケ装置にて再生された複数の楽曲データのうち、多く再生された楽曲データに対応する種別を相対的な情報として特定し、更に、当該相対的な情報に基づいて、特定したコンテンツデータまたは閲覧データの少なくとも何れか一方を、配信データとして受信する。
したがって、請求項４に記載の発明によれば、カラオケにて興趣した楽曲に連動したコンテンツデータまたは閲覧データを取得することができる。特に、サーバ装置において、複数の楽曲識別データに基づいて、カラオケ装置にて再生された複数の楽曲データのうち、多く再生された楽曲データに対応する種別が相対的な情報として特定され、当該相対的な情報に基づいて特定されたコンテンツデータまたは閲覧データを取得することができる。よって、ユーザの嗜好に関してカラオケという娯楽を活用するとともに、カラオケの娯楽性を更に発展させることができる。
【００１５】
請求項５に記載の発明は、コンピュータを、カラオケ装置にてカラオケ用の複数の楽曲データを選曲する際にそれぞれ用いられた複数の楽曲識別データを取得する取得手段、（i）前記複数の楽曲データのうち少なくとも何れかの楽曲データに関するコンテンツデータまたは（ii）当該複数の楽曲データのうち少なくとも何れかの楽曲データに関して第３者に閲覧させるための閲覧データ、の少なくとも何れか一方を提供するサーバ装置に前記取得した複数の楽曲識別データを送信する送信手段、前記サーバ装置が、前記複数の楽曲識別データに基づいて、前記カラオケ装置にて再生された複数の楽曲データのうち、多く再生された楽曲データに対応する種別を相対的な情報として特定し、更に、当該相対的な情報に基づいて特定した前記コンテンツデータまたは閲覧データの少なくとも何れか一方を、配信データとして当該サーバ装置から受信する受信手段、として機能させることを特徴とするデータ取得プログラムである。
【００１６】
この構成により、サーバ装置が、カラオケ装置にて選曲する際に用いた複数の楽曲データにそれぞれ関する複数の楽曲識別データに基づいて、カラオケ装置にて再生された複数の楽曲データのうち、多く再生された楽曲データに対応する種別を相対的な情報を特定し、更に、当該相対的な情報に基づいて、特定したコンテンツデータまたは閲覧データの少なくとも何れか一方を、配信データとしてコンピュータに受信させる。
したがって、請求項５に記載の発明によれば、カラオケにて興趣した楽曲に連動したコンテンツデータまたは閲覧データを取得することができる。特に、サーバ装置において、複数の楽曲識別データに基づいて、カラオケ装置にて再生された複数の楽曲データのうち、多く再生された楽曲データに対応する種別が相対的な情報として特定され、当該相対的な情報に基づいて特定されたコンテンツデータまたは閲覧データを取得することができる。よって、ユーザの嗜好に関してカラオケという娯楽を活用するとともに、カラオケの娯楽性を更に発展させることができる。
【００１７】
請求項６に記載の発明は、携帯用通信端末装置から送信された、カラオケ装置にてカラオケ用の複数の楽曲データを選曲する際にそれぞれ用いられた複数の楽曲識別データを収得する収得手段と、前記収得された複数の楽曲識別データに基づいて、前記カラオケ装置にて再生された複数の楽曲データのうち、多く再生された楽曲データに対応する種別を相対的な情報として特定し、更に、当該相対的な情報に基づいてコンテンツデータまたは閲覧データの少なくとも何れか一方を配信データとして特定する特定手段と、前記特定された配信データを前記携帯用通信端末装置に配信する配信手段と、を備えることを特徴とするサーバ装置である。
【００１８】
この構成により、携帯用通信端末装置から送信された、カラオケ装置にてカラオケ用の複数の楽曲データを選曲する際にそれぞれ用いられた複数の楽曲識別データに基づいて、カラオケ装置にて再生された複数の楽曲データのうち、多く再生された楽曲データに対応する種別を相対的な情報として特定し、更に、当該相対的な情報に基づいてコンテンツデータまたは閲覧データの少なくとも何れか一方を配信データとして特定し、携帯用通信端末装置に配信する。
したがって、請求項６に記載の発明によれば、カラオケにて興趣した楽曲に連動させてコンテンツデータまたは閲覧データを携帯用通信端末装置に取得させることができる。特に、複数の楽曲識別データに基づいて、カラオケ装置にて再生された複数の楽曲データのうち、多く再生された楽曲データに対応する種別を相対的な情報として特定し、当該相対的な情報に基づいて配信データを特定することから、ユーザの嗜好にあったデータを取得させることができる。よって、コンテンツデータを携帯用通信端末装置に配信する際に、ユーザの嗜好に関してカラオケという娯楽を活用するとともに、カラオケの娯楽性を更に発展させることができる。
【発明の効果】
【００３１】
本願の発明によれば、カラオケにて興趣した楽曲に連動させてコンテンツデータまたは閲覧データを取得させることができる。特に、複数の楽曲識別データに基づいて、カラオケ装置にて再生された複数の楽曲データのうち、多く再生された楽曲データに対応する種別を相対的な情報として特定し、当該相対的な情報に基づいて配信データを特定することから、ユーザの嗜好にあったデータを取得させることができる。よって、コンテンツデータを携帯用通信端末装置に配信する際に、ユーザの嗜好に関してカラオケという娯楽を活用するとともに、カラオケの娯楽性を更に発展させることができる。
【発明を実施するための最良の形態】
【００３２】
次に、本発明に好適な実施の形態について、図面に基づいて説明する。
【００３３】
以下に説明する実施の形態は、カラオケ用の楽曲データ（以下、単に「カラオケデータ」という。）を選曲する際の選曲番号を取得する携帯用電話機と、当該選曲番号に基づいて携帯用電話機にコンテンツデータまたは閲覧データを配信するサーバ装置（以下、単に「サーバ装置」という。）と、によって構成されるデータ配信システムに対して
本願の携帯用通信端末装置、サーバ装置またはデータ配信方法の発明を適用した場合の実施形態である。
【００３４】
なお、閲覧データとは、ホームページなどのWWW（World Wide Web）システムを使ってインターネット上に公開されたＷｅｂページを構成するリソースデータ（以下、「Ｗｅｂページデータ」という。）をいい、このリソースデータは、ＨＴＭＬ（Hyper Text Markup Language）やＸＭＬ（eXtensible Markup Language）といったマークアップ言語によって記述されたデータであって、具体的には、閲覧させる文書または画像などの要素データをタグと呼ばれる識別子を用いて構築されたデータをいう。
〔第１実施形態〕
始めに、図１〜図６を用いて本願に係るデータ配信システムの第１実施形態について説明する。
【００３５】
まず、図１に用いて本実施形態のデータ配信システムの概要構成について説明する。なお、本実施形態のデータ配信システムの構成を示すブロック図である。
【００３６】
本実施形態のデータ配信システムＳは、所定の場所に設置された店舗用のカラオケ装置５０から、当該カラオケ装置５０にて再生されたカラオケ用の楽曲データを選曲する際に用いられた選曲番号を選曲番号データとして取得する携帯用電話機１００と、選曲番号データに基づいて携帯用電話機１００にコンテンツデータまたはＷｅｂページデータを配信するサーバ装置３００と、から構成される。
【００３７】
本実施形態の携帯用電話機１００は、基地局ＢＳを介してネットワークＮに接続し、他の電話機またはパーソナルコンピュータなどの他の通信装置との通話機能および通信機能の他に、所定のサーバ装置３００から他の通信装置からの着信が為された際に呼出音として拡声される着信音としてまたは携帯用音楽再生装置として再生するための視聴用としての音データ、操作画面の背景に設定される画像または視聴用の動画像データを含む画像データおよび所定のマークアップ言語にて記述された種々のＷｅｂページデータを取得し、拡声または閲覧することができるようになっている。
【００３８】
特に、この携帯用電話機１００は、カラオケ装置５０から選曲番号データを取得するとともに、当該取得した選曲番号データをサーバ装置３００に送信することによって、コンテンツデータまたはＷｅｂページデータの種別を指定しつつ、ユーザが希望するコンテンツデータをサーバ装置３００に配信させて取得するようになっている。
【００３９】
本実施形態のサーバ装置３００は、携帯用電話機１００にからの指示に基づいて、コンテンツデータまたはＷｅｂページデータの種別を指定しつつ、取得した選曲番号データに基づいて、カラオケ装置５０にて選曲された楽曲に関するコンテンツデータまたはＷｅｂページデータを特定し、携帯用電話機１００に配信するようになっている。
【００４０】
特に、このサーバ装置３００は、コンテンツデータが指定された場合には、取得した選曲番号データに基づいて、カラオケ装置５０にて選曲された楽曲における着信音用若しくは視聴用の音データ、または、当該楽曲のプロモーション用の画像若しくは当該楽曲を提供するアーティストに関する画像データを携帯用電話機１００に配信し、Ｗｅｂページデータが指定された場合には、当該楽曲または当該楽曲を提供するアーティストに関するＷｅｂページデータを携帯用電話機１００に配信するようになっている。
【００４１】
このように本実施形態のデータ配信システムＳは、カラオケ装置５０にて選曲する際に用いた楽曲データに関する選曲番号データに基づいて、携帯用電話機１００に配信すべきコンテンツデータまたはＷｅｂページデータを配信データとして特定し、特定された配信データをサーバ装置３００から携帯用電話機１００に配信することできるようになっている。そして、このデータ配信システムＳは、カラオケにて興趣した楽曲に連動させてコンテンツデータまたは閲覧データを取得させることができるので、ユーザの嗜好に関してカラオケという娯楽を活用するとともに、その娯楽性を更に発展させることができる。
【００４２】
次に、図２を用いて本実施形態の携帯用電話機１００の構成について説明する。なお、図２は、本実施形態における携帯用電話機１００の構成を示す構成図である。
【００４３】
本実施形態の携帯用電話機１００は、図２に示すように、カラオケ装置５０と近距離無線通信を行い、選曲番号データを取得する近距離無線通信部１１０と、図示しないアンテナを介して他の通信端末装置またはサーバ装置３００との通信を行う電話機用通信制御部１２０と、選曲番号データと当該選曲番号データに基づいてサーバ装置３００から配信されたコンテンツデータまたはＷｅｂページデータとが格納されるデータ格納部１３０と、を備えている。
【００４４】
また、この携帯用電話機１００は、選曲番号データの取得制御およびコンテンツデータまたはＷｅｂページデータの取得制御を行うアプリケーション管理部１４０と、コンテンツデータとして音データを再生するデータ再生部１５０と、再生された音データを呼出音拡声用スピーカＳＰ１に出力する拡声処理部１６０と、操作に関する画像およびコンテンツデータまたはＷｅｂページデータを表示する表示部１７０と、表示部１７０を制御する表示制御部１８０と、備えている。
【００４５】
さらに、この携帯用電話機１００は、携帯用電話機１００全体を制御する電話機用システム制御部１９０と、ＲＯＭ／ＲＡＭ２００と、各種の操作を行う操作部２１０と、他の電話機との通話を行う際に音声が入力されるマイクロホンＭと、入力された音声を所定の信号に処理する音声処理部２２０と、通話時に受話音声を受話用スピーカＳＰ２に出力するための受話制御部２３０と、を備えている。
【００４６】
なお、例えば、本実施形態の近距離無線通信部１１０は、本発明の取得手段を構成し、電話用通信制御部およびアプリケーション管理部１４０は、本発明の送信手段および受信手段を構成する。
【００４７】
近距離無線通信部１１０と、アプリケーション管理部１４０の制御の下、図示しないアンテナを介してカラオケ装置５０と所定の近距離無線通信を行うようになっており、当該近距離無線通信によってカラオケ装置５０から選曲番号データを取得するようになっている。
【００４８】
例えば、この近距離無線通信部１１０は、カラオケ装置５０とデータの授受を行うためのＩＣカードを有し、カラオケ装置５０を操作することによって当該カラオケ装置５０にて再生された楽曲データにおける選曲番号データの送信準備が為されたことを条件に、アプリケーション管理部１４０の制御の下、カラオケ装置５０に設けられ、かつ、ループアンテナが組み込まれた載置部分５０ａに載置した場合に、ＩＣカードを介してデータ通信を行い、選曲番号データを取得するようになっている。
【００４９】
なお、本実施形態の近距離無線通信部１１０は、赤外線通信またはブルートゥース（Bluetooth／登録商標）などの近距離無線通信規格によって携帯電話機とデータ通信を行うようにしてもよい。
【００５０】
電話機用通信制御部１２０は、図示しないアンテナを介してネットワークＮに接続されるようになっており、電話機用システム制御部１９０の制御の下、携帯用電話機１００などの他の通信端末装置またはサーバ装置３００との通信制御を行うようになっている。
【００５１】
特に、本実施形態の電話機用通信制御部１２０は、取得した選曲番号データおよびユーザの配信指示をサーバ装置３００に送信するとともに、当該送信した選曲番号データに基づいて、音データまたは画像データのコンテンツデータおよびＷｅｂページデータを取得し、取得したンテンツデータおよびＷｅｂページデータをデータ格納部１３０に格納するようになっている。
【００５２】
データ格納部１３０には、取得された選曲番号データおよび各種のコンテンツデータまたはＷｅｂページデータが記憶されるようになっている。また、このデータ格納部１３０には、他の通信端末装置の所有者の名称を示す氏名、通称名などの名称情報毎に、電話番号を示す電話番号情報、メールアドレスの情報などの種々の情報が記憶されるようになっている。
【００５３】
アプリケーション管理部１４０は、カラオケ装置５０から選曲番号データを取得する際の取得管理および当該選曲番号データに基づいてコンテンツデータまたはＷｅｂページデータをサーバ装置３００から配信させるための配信指示管理を行うようになっている。
【００５４】
具体的には、本実施形態のアプリケーション管理部１４０は、カラオケ装置５０から選曲番号データを取得する際に、近距離無線通信部１１０を制御し、カラオケ装置５０とのデータ通信を制御する取得管理を行うようになっている。
【００５５】
また、このアプリケーション管理部１４０は、サーバ装置３００からコンテンツデータまたはＷｅｂページデータを取得する際に、電話機用通信制御部１２０を制御してサーバ装置３００のネットワーク上のアドレスを指定し、所定のサーバ装置３００と通信回線を確立させるようになっている。そして、このアプリケーション管理部１４０は、通信回線の確立後に、選曲番号データの送信、コンテンツデータおよびＷｅｂページデータの配信指示の送信、当該コンテンツデータおよびＷｅｂページデータの受信、当該コンテンツデータおよびＷｅｂページデータデータ格納部１３０への記憶の各制御を配信指示管理として行うようになっている。
【００５６】
なお、本実施形態のアプリケーション管理部１４０における配信指示管理を含む動作処理（以下、「配信指示の動作処理」ともいう。）の詳細については後述する。
【００５７】
データ再生部１５０は、他の電話機に基づく着信が生じた際に、または、操作者の指示に基づいて、電話機用システム制御部１９０の制御の下、データ格納部１３０に格納されている音データを読み出し、呼出音拡声用スピーカＳＰ１から拡声するために、オーディオデータを生成して拡声処理部１６０に出力するようになっている。
【００５８】
具体的には、データ再生部１５０は、所定の形式の音データをデコードし、所定形式の制御データ、または、当該制御データおよびＰＣＭ音源などの音源データに変換し、当該制御データに基づいて、音階、音色またはテンポなどが予め規定されている各種の音源データまたはデコードされた音源データを用いてオーディオデータを生成して出力するようになっている。
【００５９】
なお、本実施形態の呼出拡声用スピーカＳＰ１は、着信音の拡声の他に、視聴目的によって拡声される音データについても拡声を行うようになっている。
【００６０】
拡声処理部１６０は、主に中央演算処理装置（ＣＰＵ）によって構成され、データ再生部１５０から出力されたオーディオデータに対して種々の音処理を行い、呼出音用スピーカＳＰ１に出力するようになっている。具体的には、この拡声処理部１６０は、データ再生部１５０から出力されたオーディオデータに対してアナログ信号に変換する変換処理などの所定の信号処理を行いつつ、操作部２１０よって指定された音量の指示に基づいて音信号の信号レベルを増幅する増幅処理を行い、増幅された音信号を呼出音拡声用スピーカＳＰ１に出力するようになっている。
【００６１】
表示部１７０は、液晶素子またはＥＬ（Electro Luminescence）素子によって構成され、表示制御部１８０にて生成された表示データに基づいて所定の画像を表示するようになっている。特に、本実施形態の表示部１７０は、操作部２１０と連動して操作に関する画像を表示する他に、動画像データを含む動画像データおよびＷｅｂページデータを表示するようになっている。
【００６２】
表示制御部１８０は、電話機用システム制御部１９０の制御の下、他の電話機との通話や他の通信端末装置と通信を行う際に、視聴を行うために構成された画像データを再生する際に、または、Ｗｅｂページデータを閲覧可能に表示する際に、表示部１７０に種々の画像を表示するための表示データを生成するようになっている。
【００６３】
特に、本実施形態の表示制御部１８０は、画像データを表示する場合には、電話機用システム制御部１９０の制御の下、表示特性を制御しつつ、データ格納部１３０から視聴指示された画像データにおける表示データを生成するようになっている。
【００６４】
また、この表示制御部１８０は、Ｗｅｂページデータを表示する場合には、Ｗｅｂページデータを構成するリソースデータに基づいて、表示すべきテキストデータまたは画像データを加工して表示データを生成するようになっている。
【００６５】
電話機用システム制御部１９０は、主に中央演算処理装置（ＣＰＵ）によって構成されるとともに、バスＢによって各部と接続されており、携帯用電話機１００の全般的な機能を総括的に制御するようになっている。
【００６６】
具体的には、このシステム制御部は、通話機能、通信機能などの携帯用電話機１００全体の動作を制御する際に、ＲＯＭ／ＲＡＭ２００に格納される制御プログラムを読み出して各処理を実行し、当該ＲＯＭ／ＲＡＭ２００に処理中のデータを一時的に保持するようになっている。
【００６７】
操作部２１０は、各操作指令を入力する操作ボタン、テンキーおよびその他の数字キーなど、多数のキーにより構成されている。本実施形態の操作部２１０は、通話または着信における種々の操作を行うときに用いられるとともに、カラオケ装置５０から選曲番号データを取得する際に、および、当該選曲番号データに基づいてコンテンツデータまたはＷｅｂページデータを取得する際に用いられるようになっている。
【００６８】
音声処理部２２０は、電話機用システム制御部１９０の制御の下、他の電話機との通話を行う際に、マイクロホンＭを介して入力された送話する音声に対して所定の処理を行い、電話機用通信制御部１２０を介して通話先に送話音声をデータとして送信するようになっている。
【００６９】
受話制御部２３０は、システム制御部の制御の下、他の電話機との通話を行う際に、受話音声を受話用スピーカＳＰ２に拡声させるようになっている。
【００７０】
次に、図３および図4を用いて本実施形態のサーバ装置３００の構成について説明する。なお、図３は、本実施形態におけるサーバ装置３００の構成を示す構成図であり、図４は、第１データベース３２０に格納されるコンテンツ識別データまたはページアドレスデータの一例である。
【００７１】
本実施形態のサーバ装置３００は、図３に示すように、ネットワークＮを介して携帯用電話機１００とデータ通信を行うサーバ用通信制御部３１０と、選曲番号データに対応付けてコンテンツデータを識別するためのコンテンツ識別データまたはＷｅｂページデータの格納場所を示すページアドレスデータが記憶される第１データベース３２０と、各コンテンツデータおよびＷｅｂページデータがコンテンツ識別データまたはページアドレスデータに対応付けて記憶される第２データベース３３０と、コンテンツデータおよびＷｅｂページデータの配信制御を行う配信制御部３４０と、各部の制御を行うサーバ用システム制御部と、から構成されている。
【００７２】
なお、例えば、本実施形態のサーバ用通信制御部３１０は、本発明の収得手段および配信手段を構成し、配信制御部３４０は、本発明の収得手段および特定手段を構成する。
【００７３】
サーバ用通信制御部３１０は、電話公衆網回線またはインターネットなどのネットワークＮに接続されるようになっており、サーバ用システム制御部の制御の下、携帯用電話機１００との通信回線を確立し、選曲番号データの受信、コンテンツデータまたはＷｅｂページデータの配信およびデータの受信または配信に関する通信制御を行うようになっている。
【００７４】
特に、このサーバ用通信制御部３１０は、配信制御部３４０の制御の下、携帯用電話機１００の指示に従い、携帯用電話機１００から選曲番号データの受信、第１データベース３２０に記憶されている選曲番号音データに対応するコンテンツデータまたはＷｅｂページデータの識別データを携帯用電話機１００へ送信、該当するコンテンツデータまたはＷｅｂページデータを携帯用電話機１００への配信を行うようになっている。
【００７５】
第１データベース３２０は、選曲番号データにて示される楽曲に関連するコンテンツデータのコンテンツ識別データまたはＷｅｂページデータのページアドレスデータを選曲番号データに対応付けて格納するためのデータベースであり、配信制御部３４０の制御の下、サーバ用通信制御部３１０の指示に基づいて、格納されているコンテンツ識別データまたはページアドレスデータを抽出してサーバ用通信制御部３１０に出力するようになっている。
【００７６】
例えば、本実施形態の第１データベース３２０には、図４に示すように、選曲番号データ毎に、第２データベース３３０に格納されているコンテンツデータまたはＷｅｂページデータを特定するためのコンテンツ識別データまたはページアドレスデータが、その種別を示す名称情報とともに記憶されている。
【００７７】
第２データベース３３０は、コンテンツデータまたはＷｅｂページデータをコンテンツ識別データまたはページアドレスに対応付けて格納するためのデータベースであり、配信制御部３４０の制御の下、コンテンツデータまたはＷｅｂページデータを抽出してサーバ用通信制御部３１０に出力するようになっている。
【００７８】
特に、第２データベース３３０に記憶されるＷｅｂページデータは、特定の情報を提供するためのＷｅｂページデータであり、選曲番号データに関連してユーザが興味を抱く内容を示す記事、ブログ、または、掲示板など同一の嗜好を有するコミュニティが形成されている他のＷｅｂページデータに誘導を行うＷｅｂページデータである。
【００７９】
配信制御部３４０は、携帯用電話機１００から送信された選曲番号データおよび配信指示に基づいて、選曲番号データに対応するコンテンツデータまたはＷｅｂページデータを配信するための配信処理の制御を行うようになっている。
【００８０】
具体的には、配信制御部３４０は、携帯用電話機１００から送信された選曲番号データに基づいて第１データベース３２０を検索し、当該選曲番号データを対応付けて記憶されたコンテンツデータのコンテンツ識別データまたはＷｅｂページデータのページアドレス情報を検出するようになっており、検出したコンテンツ識別データまたページアドレスデータを、サーバ用通信制御部３１０を介して選曲番号データを送信した携帯用電話機１００に対して送信するようになっている。
【００８１】
また、この配信制御部３４０は、コンテンツ識別データまたページアドレスデータを送信した後に、携帯用電話機１００の配信指示が為された場合に、コンテンツ識別データまたページアドレスデータに基づいて第１データベース３２０を検索し、該当するコンテンツデータまたはＷｅｂページデータを、配信指示をした携帯用電話機１００に配信するようになっている。
【００８２】
特に、この配信制御部３４０は、携帯用電話機１００に送信したコンテンツ識別データまたページアドレスデータを受信することによって当該配信指示と認識するようになっており、コンテンツ識別データまたページアドレスデータに基づいてコンテンツデータまたはＷｅｂページデータを、配信指示をした携帯用電話機１００に配信するようになっている。
【００８３】
サーバ用システム制御部は、例えば、ＣＰＵ、ＲＯＭ、ＲＡＭおよびハードディスクを有し、サーバ装置３００の各部を制御するようになっている。特に、ＲＯＭには、サーバ装置３００の各部を制御するための各種制御情報が記録されると共に、ハードディスクには、制御プログラムやＯＳ（Operating System）などの各種プログラムが記録されている。また、ＣＰＵは、ハードディスクに記録されたプログラムを実行することにより、各種の処理を実行し、ＲＡＭはワークエリアとして用いられるようになっている。
【００８４】
次に、図５および図６を用いて本実施形態のデータ配信システムＳにおけるコンテンツデータまたはＷｅｂページデータの配信に係る携帯用電話機１００およびサーバ装置３００の各処理について説明する。なお、図５および図６は、本実施形態の携帯用電話機１００およびサーバ装置３００においてコンテンツデータまたはＷｅｂページデータを配信する際の取得処理を含む配信指示における動作処理および配信処理の動作を示すフローチャートである。
【００８５】
以下の説明において、カラオケ装置５０にて既に楽曲データの再生が為されて終了しているものとし、カラオケ装置５０は、ユーザの指示に基づいて、既に再生された楽曲データに係る選曲番号データの送信準備が行われているものとする。
【００８６】
なお、カラオケ装置５０にて再生された全ての楽曲データに係る選曲番号データを送信するように送信準備を行ってもよいし、ユーザの選択により一または複数の楽曲データに係る選曲番号データを送信するように送信準備を行ってもよい。
【００８７】
まず、携帯用電話機１００において、電話機用システム制御部１９０は、ユーザの操作部２１０における操作に基づいて、アプリケーション管理部１４０に選曲番号データを受信する準備を行わせる（ステップＳ１０１）。具体的には、電話用システム制御部は、アプリケーション管理部１４０を制御して近距離無線通信部１１０にカラオケ装置５０とのデータ通信の準備を行わせる。
【００８８】
次いで、携帯用電話機１００をカラオケ装置５０の所定の場所に載置することによって、カラオケ装置５０から送信された選曲番号データを近距離無線通信部１１０が受信すると（ステップＳ１０２）、アプリケーション管理部１４０は、近距離無線通信部１１０に受信した選曲番号データをデータ格納部１３０に格納させ、コンテンツデータまたはＷｅｂページデータの配信指示の入力を待機する（ステップＳ１０３）。
【００８９】
次いで、操作部２１０を介して一の選曲番号データに基づく配信指示が入力され、アプリケーション管理部１４０が当該配信指示を検出すると（ステップＳ１０４）、当該アプリケーション管理部１４０は、所定のネットワーク上のアドレスデータ（以下、「サーバアドレス」ともいう。）を有するサーバ装置３００と通信回線を確立する等の所定の前処理を行うとともに、配信指示の基になった選曲番号データをデータ格納部１３０から読み出して電話機用通信制御部１２０を介してサーバ装置３００に送信し、コンテンツ識別データまたはページアドレスデータの受信を待機する（ステップＳ１０５）。
【００９０】
一方、サーバ装置３００において、サーバ用通信制御部３１０が携帯用電話機１００から送信された配信指示を受信すると（ステップＳ２０１）、当該携帯用電話機１００との通信回線を確立するなど所定の前処理を行って、選曲番号データを受信する（ステップＳ２０２）。
【００９１】
次いで、配信制御部３４０は、受信した選曲番号データに基づいて第１データベース３２０を検索し、該当する選曲番号データを有するコンテンツデータのコンテンツ識別データまたはＷｅｂページデータのページ識別データを検索する（ステップＳ２０３）。
【００９２】
次いで、配信制御部３４０は、第１データベース３２０内におけるコンテンツ識別データおよびページ識別データの有無を判断する（ステップＳ２０４）。このとき、配信制御部３４０は、何れのコンテンツ識別データおよびページ識別データがない場合には、本動作を終了し、そうでなければステップＳ２０５の処理に移行する。
【００９３】
次いで、配信制御部３４０は、ステップＳ２０４の処理において、コンテンツ識別データまたはページ識別データの少なくとも何れかのデータがあると判断された場合には、該当するコンテンツ識別データおよびページアドレスデータを第１データベース３２０から取得するとともに、サーバ用通信制御部３１０に、当該該当するコンテンツ識別データおよびページアドレスデータを携帯用電話機１００に送信させ、当該選択されたコンテンツ識別データおよびページアドレスデータの受信を待機させる（ステップＳ２０５）。
【００９４】
他方、携帯用電話機１００において、アプリケーション管理部１４０は、サーバ用通信制御部３１０に選曲番号データの送信後一定期間内にコンテンツ識別データおよびページアドレスデータを受信したか否かを判断させる（ステップＳ１０６）。このとき、携帯用通信制御部が、一定期間内にコンテンツ識別データおよびページアドレスデータを受信してない場合には、本動作を終了し、一定期間内にコンテンツ識別データおよびページアドレスデータを受信した場合には、ステップＳ１０７の処理に移行する。
【００９５】
次いで、アプリケーション管理部１４０は、表示制御部１８０を制御して受信したコンテンツ識別データまたはＷｅｂページデータを表示部１７０に表示させ、その選択指示の入力を待機する（ステップＳ１０７）。
【００９６】
次いで、操作部２１０を介して何れかのコンテンツ識別データまたはページアドレスデータが選択された旨が入力されると（ステップＳ１０８）、アプリケーション管理部１４０は、選択されたコンテンツ識別データまたはページアドレスデータをサーバ装置３００に送信し、当該該当するコンテンツデータまたはＷｅｂページデータの配信を待機する（ステップＳ１０９）。
【００９７】
このとき、サーバ装置３００において、サーバ用通信制御部３１０が選択されたコンテンツ識別データまたはページアドレスデータを受信すると（ステップＳ２０６）、配信制御部３４０は、受信したコンテンツ識別データまたはページアドレスデータに基づいて第２データベース３３０からコンテンツデータまたはＷｅｂページデータを取得するとともに、当該取得したコンテンツデータまたはＷｅｂページデータを携帯用電話機１００に送信し（ステップＳ２０７）、通信回線の遮断などの後処理を行って（ステップＳ２０８）本動作を終了させる。
【００９８】
また、携帯用電話機１００において、電話機用通信制御部１２０が配信指示をしたコンテンツデータまたはＷｅｂページデータを受信すると（ステップＳ１１０）、当該受信したコンテンツデータまたはＷｅｂページデータをデータ格納部１３０に格納し（ステップＳ１１１）、通信回線の遮断などの後処理を行って（ステップＳ１１２）本動作を終了させる。
【００９９】
なお、一の選曲番号データに基づいてコンテンツデータまたはＷｅｂページデータを取得した後に他の選曲番号データに基づいて更にコンテンツデータまたはＷｅｂページデータを取得する場合には、携帯用電話機１００およびサーバ装置３００は、ステップＳ１０４の処理からステップＳ１１２の処理およびそれに伴うサーバ装置３００の処理を繰り返す。また、予め取得した選曲番号データに基づいてコンテンツデータまたはＷｅｂページデータを取得する場合には、携帯用電話機１００は、ステップＳ１０４の処理から配信指示における動作処理および配信処理の動作を開始する。
【０１００】
以上本実施形態のデータ配信システムＳは、カラオケ装置５０にて選曲する際に用いた楽曲データに関する選曲番号データに基づいて、携帯用電話機１００に配信すべきコンテンツデータまたはＷｅｂページデータの少なくとも何れか一方を配信データとして特定し、特定された配信データをサーバ装置３００から携帯用電話機１００に配信することができるようになっている。
【０１０１】
したがって、本実施形態のデータ配信システムＳは、カラオケにて興趣した楽曲に連動させてコンテンツデータまたはＷｅｂページデータを取得させることができるので、ユーザの嗜好に関してカラオケという娯楽を活用するとともに、その娯楽性を更に発展させることができる。
【０１０２】
なお、本実施形態では、アプリケーション管理部１４０において、予め定められた処理のサーバ装置３００にコンテンツデータ等の配信指示を行うようになっているが、カラオケ装置５０から取得する際に各選曲番号データとともにサーバアドレスデータを取得し、当該取得したサーバアドレスデータに基づいて所定のサーバ装置３００に配信指示を行うようにしてもよい。
【０１０３】
また、本実施形態のサーバ装置３００は、選曲番号データを受信後に携帯用電話機１００からの配信指示に基づいてコンテンツデータまたはＷｅｂページデータを選択して当該携帯用電話機１００に送信しているが、一のコンテンツデータ等のみ記憶されている場合には、選曲番号データを受信した後に直接コンテンツデータ等を送信するようにしてもよい。
【０１０４】
また、本実施形態では、第１データベース３２０と第２データベース３３０が同一のサーバ装置３００に設けられているが、勿論、ページアドレスデータにて特定可能であれば、異なるサーバ装置３００に設けられていてもよい。
【０１０５】
また、本実施形態では、店舗用のカラオケ装置から選曲番号データを取得するようになっているが、勿論、家庭用のカラオケ装置など選曲番号を用いてカラオケデータを選曲するカラオケ装置に適用可能である。
【０１０６】
また、本実施形態の携帯用電話機１００は、上述のように、配信指示の動作処理を行うようになっているが、当該携帯用電話機１００にコンピュータおよび記録媒体を備えるとともに、この配信指示の動作処理を行う制御プログラムを記録媒体に格納し、このコンピュータで当該制御プログラムを記録媒体から読み込むことによって上述と同様の処理を行うようにしてもよい。
〔第２実施形態〕
次に、本願に係るデータ配信システムＳの第２実施形態について説明する。
【０１０７】
本実施形態は、第１実施形態おいて単一の選曲番号データに基づいてコンテンツデータ等を配信させる点に代えて、複数の選曲番号データを携帯用電話機１００からサーバ装置３００に送信し、当該サーバ装置３００が複数の選曲番号データに基づいてコンテンツデータまたはＷｅｂページデータを特定して配信する点に特徴がある。また、本実施形態において、上述した他の構成は、第１実施形態と同様であるため、同一部材には同一の番号を付してその説明を省略する。
【０１０８】
本実施形態のサーバ装置３００における特徴的な部材の構成について説明する。
【０１０９】
本実施形態の配信制御部３４０は、サーバ用通信制御部３１０を介して一の携帯用電話機１００から複数の選曲番号データを取得するように、取得した複数の選曲番号データを解析して該当するコンテンツデータまたはＷｅｂページデータを特定して配信するようになっている。
【０１１０】
特に、本実施形態の配信制御部３４０は、複数の選曲番号データに基づいて、カラオケ装置５０にて再生された楽曲において、多く再生された楽曲のアーティストの種別、ジャンルの種別などの相対的な情報（以下、「相対性情報」という。）を特定し、特定された相対性情報において、第１データベース３２０にて予め記憶されたコンテンツ識別データまたはページアドレスデータを取得して携帯用電話機１００に配信指示を行わせるために送信するようになっている。
【０１１１】
なお、本実施形態の第１データベース３２０には、各選曲番号データ毎に、アーティスト名、属性その他の楽曲に関して相対性情報にて特定するために用いるデータが記憶されているとともに、各相対性情報毎に、第１実施形態と同様に、コンテンツ識別データまたはページアドレスデータが記憶されている。
【０１１２】
例えば、この配信制御部３４０は、取得した選曲番号データにおいて「Ａ」というアーティストの楽曲が一番多いと判断した場合には、「Ａ」に関する画像データ等を示すコンテンツ識別データ、または、「Ａ」に関する記事が記載されているＷｅｂページデータ等のページアドレスデータを取得して携帯用電話機１００に配信指示を行わせるために送信するようになっている。
【０１１３】
また、本実施形態の配信制御部３４０は、複数の選曲番号データを受信したことを前提に、第１実施形態におけるステップＳ２０３の処理において、取得した複数の選曲番号データに基づいて、多く再生された楽曲のアーティストの種別、ジャンルの種別などの相対性情報を特定し、特定された相対性情報において、第１データベース３２０にて予め記憶されたコンテンツ識別データまたはページアドレスデータを検索するようになっている。
【０１１４】
以上本実施形態のデータ配信システムＳは、カラオケ装置５０にて選曲する際に用いた楽曲データに関する選曲番号データに基づいて、携帯用電話機１００に配信すべきコンテンツデータまたはＷｅｂページデータの少なくとも何れか一方を配信データとして特定し、特定された配信データをサーバ装置３００から携帯用電話機１００に配信することができるようになっている。
【０１１５】
したがって、本実施形態のデータ配信システムＳは、カラオケにて興趣した楽曲に連動させてコンテンツデータまたはＷｅｂページデータを取得させることができるので、ユーザの嗜好に関してカラオケという娯楽を活用するとともに、その娯楽性を更に発展させることができる。
【０１１６】
また、本実施形態のデータ配信システムＳは、複数の選曲番号データに基づいてコンテンツ識別データ等を特定するので、カラオケという娯楽を用いてユーザの嗜好を判断することができるとともに、コンテンツデータを携帯用通信端末装置に配信する当該判断結果を用いることによって、当該ユーザの嗜好に関してカラオケという娯楽を更に活用することができる。
【０１１７】
なお、本実施形態の配信制御部３４０は、複数の選曲番号データに基づいて相対性情報を特定し、コンテンツ識別データ等を検索するようになっているが、複数の選曲番号データに基づいて所定の条件を判定し、条件に合致した際にのみ該当するコンテンツ識別データを携帯用電話機１００に送信するようにしてもよい。
【０１１８】
例えば、配信制御部３４０は、携帯用電話機１００における配信指示の際に、一のアーティストにおいて所定の曲数（例えば５曲）の選曲番号データを取得した場合に限り、所定のコンテンツ識別データを配信する配信処理を行う、予め定められた特定の選曲番号データを複数取得した場合に限り、所定のコンテンツ識別データ等を配信する配信処理を行う、または、予め定められた特定の選曲番号データに基づいて配信指示を行った所定の数の携帯用電話機１００に対して先着により所定のコンテンツ識別データ等を配信する配信処理を行うようにしてもよい。
【０１１９】
また、本実施形態では、第１実施形態と同様に、第１データベース３２０と第２データベース３３０が同一のサーバ装置３００に設けられているが、勿論、ページアドレスデータにて特定可能であれば、異なるサーバ装置３００に設けられていてもよい。
【０１２０】
また、本実施形態では、店舗用のカラオケ装置から選曲番号データを取得するようになっているが、勿論、家庭用のカラオケ装置など選曲番号を用いてカラオケデータを選曲するカラオケ装置に適用可能である。
【図面の簡単な説明】
【０１２１】
【図１】本願に係るデータ配信システムにおける第１実施形態の概略構成を示す構成図である。
【図２】第１実施形態における携帯用電話機の構成を示すブロック図である。
【図３】第１実施形態におけるサーバ装置の構成を示すブロック図である。
【図４】サーバ装置における第１データベースに記憶されるコンテンツ識別データ等の一例である。
【図５】第１実施形態の携帯用電話機およびサーバ装置における配信指示の動作処理および配信処理の動作を示すフローチャート（Ｉ）である。
【図６】第１実施形態の携帯用電話機およびサーバ装置における配信指示の動作処理および配信処理の動作を示すフローチャート（II）である。
【符号の説明】
【０１２２】
Ｓ  …  データ配信システム
５０  …  カラオケ装置
５０ａ  …  載置部分
１００  …  携帯用電話機
１１０  …  近距離無線通信部
１２０  …  電話機用通信制御部
１３０  …  データ格納部
１４０  …  アプリケーション管理部
１５０  …  データ再生部
１６０  …  拡声処理部
１７０  …  表示部
１８０  …  表示制御部
１９０  …  システム制御部
２００  …  ＲＯＭ／ＲＡＭ
２１０  …  操作部
２２０  …  音声処理部
２３０  …  受話制御部
３００  …  サーバ装置
３１０  …  サーバ用通信制御部
３２０  …  第１データベース
３３０  …  第２データベース
３４０  …  配信制御部
３５０  …  システム制御部
ＳＰ１  …  呼出音拡声用スピーカ
ＳＰ２  …  受話用スピーカ
Ｍ  …  マイクロホン
【図１】
0004486588.tif 000002
【図２】
0004486588.tif 000003
【図３】
0004486588.tif 000004
【図４】
0004486588.tif 000005
【図５】
0004486588.tif 000006
【図６】
0004486588.tif 000007